(57)【要約】【課題】  クロノグラフ機構、自動巻機構を備える簡単な構造で、小型化、薄型化を可能にし、斬新なデザインのクロノグラフ機構、自動巻機構を備える時計を提供する。【解決手段】  時計１０は、外部操作部材と、自動巻機構と、クロノグラフ機構と、を備える時計であって、自動巻機構は、回転錘１３０と自動巻輪列とを備え、クロノグラフ機構は、時クロノグラフ車８５と分クロノグラフ車９０と秒クロノグラフ車９５と、前記外部操作部材に連動するクロノグラフ作動機構とを備え、前記外部操作部材は、りゅうず１１と操作ボタン２０，３０とを備え、時計１０の平面の中心を通る直線で２分割したときに、時クロノグラフ車８５と分クロノグラフ車９０と秒クロノグラフ車９５が、りゅうず１１と操作ボタン２０，３０が配置される分割位置と同じ分割位置に配置されている。【選択図】      図２
2006275550.tif 000002
【特許請求の範囲】
【請求項１】
外部操作部材と、自動巻機構と、クロノグラフ機構と、を含む時計であって、
前記自動巻機構は、回転錘と自動巻輪列とを備え、
前記クロノグラフ機構は、クロノグラフ車と前記外部操作部材に連動するクロノグラフ作動機構とを備え、
前記外部操作部材は、りゅうずと操作ボタンとを備え、
前記時計を、平面の中心を通る直線で２分割したときに、前記クロノグラフ車が、前記りゅうずと前記ボタンが配置される領域と同じ分割領域に配置されていることを特徴とする時計。
【請求項２】
請求項１に記載の時計において、
前記クロノグラフ機構と前記自動巻輪列とが、それぞれ平面的に重ならない分割位置に配置されていることを特徴とする時計。
【請求項３】
請求項１または請求項２に記載の時計において、
前記時計が、駆動源としてぜんまいを備える時計であって、
前記自動巻機構によって、ぜんまいを巻き上げることを特徴とする時計。
【請求項４】
請求項１または請求項２に記載の時計において、
前記時計が、自動巻発電式時計であって、発電機構をさらに備え、
前記クロノグラフ機構と前記発電機構とが、平面的に重ならない分割位置に配置されていることを特徴とする時計。
【請求項５】
請求項１ないし請求項４のいずれか一項に記載の時計において、
前記りゅうずが３時位置に配置されるとき、少なくとも前記クロノグラフ車の一つが略２時位置、他の一つが４時位置に配置されていることを特徴とする時計。
【発明の詳細な説明】
【技術分野】
【０００１】
本発明は、時計に関し、詳しくはクロノグラフ車と自動巻機構を備える時計の構造に関する。
【背景技術】
【０００２】
従来、外部操作部材としてのりゅうず、プッシュボタンと、クロノグラフ機構と、自動巻機構を備える時計において、クロノグラフ表示のための秒クロノグラフ針を時計の中心に配置し、他の分クロノグラフ針を３時方向、時クロノグラフ針を９時方向に配置し、りゅうずを３時位置、プッシュボタンをりゅうずの両側に配置した時計が知られている（例えば、特許文献１参照）。
【０００３】
また、りゅうず、プッシュボタンとクロノグラフ機構と自動巻発電機構とを備える時計において、りゅうずを３時位置、プッシュボタンをりゅうずの両側に配置し、さらに、秒クロノグラフ針を時計の中心、分クロノグラフ針を９時方向に配置し、一方のプッシュボタンの押し込み方向近傍に、発電機及び回転錘からの回転を発電用ローターまで伝達する自動巻発電用輪列を配置している時計も知られている（例えば、特許文献２参照）。
【０００４】
【特許文献１】特開平９−１７８８６８号公報（第４，５頁、図１）
【特許文献２】特開平１１−２９５４４８号公報（第２，３頁、図２）
【発明の開示】
【発明が解決しようとする課題】
【０００５】
りゅうず及びプッシュボタンが３時方向にあるとき、特許文献１では、時クロノグラフ針が９時方向に配置され、特許文献２では、分クロノグラフ針が９時方向に配置されている。このような特許文献1または特許文献２の配置構造では、プッシュボタンによってクロノグラフ作動機構を駆動し、前述のクロノグラフ針のスタート、ストップ、帰零操作を行うが、時クロノグラフ針または分クロノグラフ針が、プッシュボタンと離れた位置に配置されるために、クロノグラフ作動機構の配置面積が広がり、そのことにより、時計の構造が複雑になってしまうという課題がある。
【０００６】
また、クロノグラフ付きの時計では、前述した特許文献１，２のように、秒クロノグラフ針、分クロノグラフ針、時クロノグラフ針が、時計の中心及び３時位置、６時位置、９時位置に配置されることが一般的であり、時計のデザインが固定的で新鮮味がないという課題がある。
【０００７】
さらに、特許文献２では、自動巻発電機構を備えているが、この自動巻発電機構の発電機を含む大部分がプッシュボタンの一つの近傍に配置されているため、クロノグラフ作動機構と自動巻発電機構とが平面的に重なりあっている。そのために、時計が厚くなるという課題がある。
【０００８】
本発明の目的は、前述の課題を解決することを要旨とし、簡単な構造で、小型化、薄型化を可能にし、斬新なデザインのクロノグラフ付きの時計を提供することである。
【課題を解決するための手段】
【０００９】
本発明の時計は、外部操作部材と、自動巻機構と、クロノグラフ機構と、を含む時計であって、前記自動巻機構は、回転錘と自動巻輪列とを備え、前記クロノグラフ機構は、クロノグラフ車と前記外部操作部材に連動するクロノグラフ作動機構とを備え、前記外部操作部材は、りゅうずと操作ボタンとを備え、前記時計の平面の中心を通る直線で２分割したときに、前記クロノグラフ車が、前記りゅうずと前記操作ボタンが配置される領域と同じ分割領域に配置されていることを特徴とする。
【００１０】
ここで、クロノグラフ車には、クロノグラフ表示をするための、例えば、秒クロノグラフ針、分クロノグラフ針、時クロノグラフ針等が装着される。
【００１１】
この発明によれば、外部操作部材としてのりゅうず及び操作ボタンの近傍にクロノグラフ車が配置されているために、クロノグラフ作動機構がコンパクトに構成することができ、時計の小型化と構造の簡素化を実現できる。
【００１２】
また、操作ボタンの近傍にクロノグラフ操作の対象物としてのクロノグラフ車が配置されているので、操作の際に、前述したクロノグラフ針と操作ボタンとの対比がしやすく視認しやすいという効果がある。
【００１３】
さらに、クロノグラフ針が外部操作部材の近傍に配置されているので、従来の３時、６時、９時位置にクロノグラフ針を配置するクロノグラフ付きの時計とは異なる斬新なデザインの時計を提供することができる。
【００１４】
また、本発明の構造では、前記クロノグラフ機構と前記自動巻輪列とが、それぞれ平面的に重ならない分割位置に配置されていることが好ましい。
【００１５】
このように、クロノグラフ機構と自動巻輪列とが、平面的に重ならないように配置することで、クロノグラフ付きの時計であっても、薄型のすっきりしたデザインの時計を提供することができる。
【００１６】
また、本発明の時計が、駆動源としてぜんまいを備える時計であって、前記自動巻機構によって、ぜんまいを巻き上げることが好ましい。
ここで、本発明の時計には、例えば、ぜんまいを駆動源とする機械式時計及び電気機械制御式時計が含まれる。
【００１７】
このようにすることで、前述したクロノグラフ機構と自動巻輪列とが、それぞれ平面的に重ならない分割位置に配置されていることに加え、自動巻機構がぜんまいを有する時計であっても、小型化、薄型化を実現できる。
【００１８】
また、本発明の時計が、自動巻発電式時計であって、発電機構をさらに備え、前記クロノグラフ機構と前記発電機構とが、平面的に重ならない分割位置に配置されていることが好ましい。
【００１９】
このようにすれば、前述したクロノグラフ機構と、自動巻輪列と発電機構が、平面的に重ならないように配置されているために、発電電力を得るために容積が大きくなりがちな発電機構を備えても、スペースの制約が小さく、小型で薄型の時計を提供することができる。
【００２０】
さらに、前記りゅうずが３時位置に配置されるとき、少なくとも前記クロノグラフ車の一つが略２時位置、他の一つが４時位置に配置されていることが望ましい。
【００２１】
このように、クロノグラフ車（つまり、クロノグラフ針）が、２時位置、４時位置に配置されることから、従来のクロノグラフ付きの時計のクロノグラフ針が３時、６時、９時位置に配置されることに比べ、斬新なデザインの時計を提供できるという効果がある。
【発明を実施するための最良の形態】
【００２２】
以下、本発明の実施の形態を図面に基づいて説明する。
図１〜図６は本発明に係る実施形態１の時計が示され、図７には、実施形態２の時計が示されている。
（実施形態１）
【００２３】
図１は、実施形態１に係るクロノグラフ付き時計の外観の１例を示す正面図である。図１において、クロノグラフ付きの時計１０は、中央部に秒クロノグラフ針４２と時針４４と分針４５とを備え、２時方向（図中、２Ｈと表示）に分クロノグラフ針４１が配置され、４時方向（図中、４Ｈと表示）に時クロノグラフ針４０が配置され、さらに、９時方向（図中、９Ｈと表示）に小秒針４６が配置され、さらに７時方向にぜんまいの巻き上げ残量を示すインジケーター針４３が配置されている。
【００２４】
また、時計のケース側面には、３時位置に外部操作部材としてのりゅうず１１と、りゅうず１１の両側、即ち２時位置と４時位置に他の外部操作部材としての操作ボタン２０及び操作ボタン３０が備えられている。
【００２５】
操作ボタン２０は、クロノグラフのスタート／ストップ操作をつかさどり、操作ボタン３０は、クロノグラフの帰零（リセット）をつかさどる機能を有している。
【００２６】
これら分クロノグラフ針４１と時クロノグラフ針４０と小秒針４６とインジケーター針４３等の指針とりゅうず１１、操作ボタン２０，３０とが、図１に示すように配置されており、従来のクロノグラフ付きの時計にはないデザインを実現している。
【００２７】
続いて、本実施形態に係る時計１０のクロノグラフ機構、自動巻機構について説明する。
図２は、実施形態１に係る時計１０の平面図、図３は、自動巻機構を示す断面図、図４は、秒クロノグラフ車９５と分クロノグラフ車９０と周辺の機構を示す断面図、図５は、時クロノグラフ車と伝達輪列を示す断面図、図６は、クロノグラフ作動機構の一部を示す断面図である。
【００２８】
なお、図２は、クロノグラフ機構及び自動巻機構を分かりやすく説明するために受類を透視し、裏蓋側から視認した状態のムーブメントを示し、一般の時計と変わりがない部分を省略している。
【００２９】
まず、全体の配置関係について説明する。図２において、３時位置にはりゅうず１１と、りゅうず１１が螺着されている巻真１２が備えられ、２時位置に操作ボタン２０と、４時位置に操作ボタン３０とが図示しないケース胴の挿通孔に挿着されている。
【００３０】
ここで、時計１０の中心を通り３時と９時を結ぶ直線をＹ、６時と１２時（図中、１２Ｈと表示）を結ぶ直線をＸとし、この直線Ｘ、Ｙで構成される２時方向の領域を第１象限、４時方向を第２象限、８時方向を第３象限、１０時方向を第４象限として配置を説明する。
【００３１】
第１象限には、分クロノグラフ車９０と、操作ボタン２０と連動する作動レバー６０と、分クロノグラフ車９０と時クロノグラフ車８５（第２象限）の帰零を行う時分復針レバー８０とが備えられている。また、直線Ｙ上には、クロノグラフ機構の作動を制御する作動カム５０が軸支されている。
【００３２】
第２象限には、時クロノグラフ車８５と、操作ボタン３０と連動して各クロノグラフ車の帰零を行うための復針伝達レバー６５と、秒クロノグラフ車９５（時計中央にある）の帰零を行う秒復針レバー１１５が備えられている。
【００３３】
また、第３象限には、香箱１４５（第２象限と第３象限にわたる）、自動巻輪列を構成する伝え車１４０と香箱１４５に軸止される角穴車１５０と、つめレバー１３５と、が備えられ、直線Ｙ上９時方向には、時刻の秒表示を行う小秒車１０５が備えられている。
【００３４】
ここで、時計１０の基本配置を整理すると、第１、第２象限にクロノグラフ作動機構の大部分と分クロノグラフ車９０と時クロノグラフ車８５が配置され、第３象限に自動巻輪列が配置されている。すなわち、時計１０を直線Ｘで２分割した際に、外部操作部材側の分割位置にクロノグラフ作動機構の大部分とクロノグラフ車が配置され、他方の分割位置に自動巻輪列が配置され、それぞれが平面的に重ならないように配置されている。
回転錘１３０は、クロノグラフ機構と自動巻輪列の上方に、時計１０の略中心を回転中心として回転可能に軸止されている。
【００３５】
次に、自動巻機構について説明する。
図３は、本実施形態に係る自動巻機構を示す断面図である。図２も参照して説明する。図２、図３において、回転錘１３０は、回転錘受１５に固定されたボールベアリング１３６に植立された回転錘軸１３７に回転錘止め螺子１３９によって螺合固定されている。
【００３６】
回転錘軸１３７の内側には偏心ピン１３８が形成されており、この偏心ピン１３８につめレバー１３５が挿着されている。つめレバー１３５の先端のつめ１３５ａ、１３５ｂが伝え車１４０のつめ歯車１４１と係合し、伝え車１４０の伝えかな１４２が角穴車１５０に噛合し、角穴車１５０は香箱真１４６に螺合固定されている。この香箱真１４６にぜんまい１４７が巻回されて香箱１４５内に収納されている。
【００３７】
このような自動巻機構による作動については、ぜんまいを駆動源（動力源）とする機械式時計に一般的に採用されているため詳しくは説明しないが、回転錘１３０が回転すると、この回転に連動して回転錘軸１３７が回転し、偏心ピン１３８が偏心回転する。この偏心回転によりつめレバー１３５が作動し、伝え車１４０を介して角穴車１５０を回転し、ぜんまい１４７を巻き上げる。
【００３８】
このようなつめレバー１３５を用いる自動巻機構は、回転錘１３０の回転方向に係らずぜんまい１４７を巻き上げることが可能な構造である。
【００３９】
続いて、各クロノグラフ車の構造とクロノグラフ作動機構との関係について説明する。
図４は、秒クロノグラフ車９５、分クロノグラフ車９０と小秒車１０５の構造について示す断面図である。図２も参照して説明する。図２、図４において、時計の中心に配置される秒クロノグラフ車９５は、秒クロノグラフ歯車９８と、クラッチ１２０と、秒ハートカム９６とが秒クロノグラフ真９７に軸止されて１体に構成され、輪列受１４と二番受１６によって軸支されている。
【００４０】
また、クラッチ１２０は、リング状のクラッチ板１２２とクラッチばね１２１とから構成され、秒クロノグラフ車９５と連動して回転する。
【００４１】
秒クロノグラフ真９７には、四番車１０７が挿着される。四番車１０７は、四番かな１０８と四番歯車１０９とから構成され、四番かな１０８に開設される貫通孔に秒クロノグラフ真９７が挿通されクラッチ１２０と秒クロノグラフ真９７に設けられる段部によって保持されている。四番車１０７は、秒クロノグラフ車９５とは遊嵌の関係である。
秒クロノグラフ真９７の文字板側の先端部には、秒クロノグラフ針４２が装着されている。
【００４２】
クロノグラフ計測をしているときには、図４で示すように、クラッチ板１２２と発停レバーＡ１２５、発停レバーＢ１２６との係合が解除されているため、クラッチ板１２２がクラッチばね１２１によって四番歯車１０９に押し圧されているため、秒クロノグラフ車９５は、四番車１０７と連動して回転し、秒クロノグラフ表示を行う。
なお、四番車１０７は、香箱１４５から図示しない時刻表示輪列を介して回転される。
【００４３】
秒クロノグラフ車９５が運針しているときには、秒ハートカム９６と秒復針レバー１１５とは解除された状態であり、時刻運針、クロノグラフ運針には影響しない。
【００４４】
秒クロノグラフ車９５は分クロノグラフ中間車１０１を介して分クロノグラフ車９０を回転する。本実施形態では、図１に示すように、分クロノグラフ車９０は、３０分で１回転するように分クロノグラフ中間車１０１で減速される。
【００４５】
分クロノグラフ車９０は、分クロノグラフ真９２に分クロノグラフ歯車９３と分ハートカム９１が軸止されて１体化され、回転錘受１５と地板１３との間で軸支されている。この際、分ハートカム９１と時分復針レバー８０とは係合が解除された状態である。分クロノグラフ真９２の文字板側先端部には、分クロノグラフ針４１が挿着され、分クロノグラフ表示される。
【００４６】
また、本実施形態では、図１に示すように、９時方向に時刻秒表示のための小秒針４６が備えられている。小秒車１０５は、小秒かな１０５ａと小秒真１０５ｂとから構成され、四番かな１０８と噛合する三番車１０６と小秒かな１０５ａとが噛合している。小秒車１０５は、輪列受１４と地板１３（図は、省略）との間に軸支され、小秒真１０５ｂの文字板側の先端部には、小秒針４６が装着されている。四番かな１０８と小秒かな１０５ａとは、同じ歯数のため同じ回転速度で回転し、１分間に１回転する。
【００４７】
次に、時クロノグラフ車８５について図面を参照して説明する。
図５は、時クロノグラフ車８５及び駆動源からの伝達輪列の構造を示す断面図である。図２も参照して説明する。図２、図５において、時クロノグラフ車８５は、第２象限に直線Ｘ及び直線Ｙからの距離を分クロノグラフ車９０と同じにして配置されている。時クロノグラフ車８５は、時クロノグラフ第２中間車１１２、時クロノグラフ第１中間車１１０を介して香箱１４５から回転が伝達される。
【００４８】
時クロノグラフ第１中間車１１０は、地板１３と回転錘受１５とによって軸支され、時クロノグラフ第２中間車１１２は、輪列受１４と回転錘受１５とによって軸支され、時クロノグラフ車８５は、地板１３と回転錘受１５とによって軸支されている。このようにして、時クロノグラフ車８５は１２時間で１回転するように減速される。
【００４９】
時クロノグラフ車８５は、時クロノグラフ真８７と時クロノグラフ歯車８８と時ハートカム８６と摩擦ばね８９と摩擦ばね固定板８９ａとから構成されている。時クロノグラフ真８７と時ハートカム８６とは軸止され１体で回転する。時クロノグラフ真８７の文字板側の先端部には、時クロノグラフ針４０が装着されている。
【００５０】
また、時クロノグラフ真８７と、時クロノグラフ歯車８８及び摩擦ばね８９とは、遊嵌の関係にあり、時クロノグラフ歯車８８は、摩擦ばね８９によって所定の固定トルクで時クロノグラフ真８７に軸止されている。クロノグラフ計測中（スタート時において）では、時ハートカム８６と時分復針レバー８０とは、係合が解除された状態であり、時クロノグラフ車８５は香箱１４５の回転に連動して回転する。
【００５１】
帰零時においては、時分復針レバー８０によって時ハートカム８６を回転するが、時クロノグラフ歯車８８が時クロノグラフ真８７との間でスリップして時クロノグラフ真８７（時クロノグラフ針４０）だけが回転される。
【００５２】
続いて、クロノグラフ作動機構について図面を参照して説明する。
図６は、本実施形態に係るクロノグラフ作動機構のうち、クロノグラフ機構の作動を制御する作動カム５０と周辺の構造を示す断面図である。図２も参照して説明する。図２、図６において、作動カム５０は、直線Ｙ上のりゅうず１１方向に配置されている。
【００５３】
作動カム５０は、略三角歯状の歯型を有する作動カム歯車５２と、作動カム歯車５２の上方に突出して形成される平面視三角の作動カム柱５１が偶数個形成されている（本実施形態では８個）。作動カム５０は輪列受１４に作動カム軸５３によって回転可能に軸支されている。
【００５４】
作動カム５０の回転位置は、作動カムジャンパー５５のジャンパー部５８が作動カム歯車５２と係合して規制されている。作動カムジャンパー５５は、固定軸５６，５７によって位置が規制されたうえ固定されている（図２、参照）。
【００５５】
また、図２でも示すように、作動カム柱５１は、復針伝達レバー６５の作動を規制し、クロノグラフ計測中においては、復針伝達レバー６５は作動しない。また、作動レバー６０のつめ部６３が作動カム歯車５２と噛合している。
【００５６】
次に、操作ボタン２０，３０を操作することによるクロノグラフ機構の作動と詳しい構造について説明する。図２を参照して説明するが、図３〜図６も参照する。
まず、図２には、クロノグラフ計測をしている状態が示されている。クロノグラフ計測中では、前述したように復針伝達レバー６５は、作動カム柱５１によって規制されているために、操作ボタン３０を押し操作しても作動せず、各クロノグラフ針の運針に変化はない。
【００５７】
復針伝達レバー６５は、復針伝達レバー軸６６を中心に揺動可能であり、復針伝えレバー７５が固定され、復針伝達レバー６５に連動する。この復針伝えレバー７５には、秒復針レバー作動部７６と復針伝達レバー規制部７７とが設けられ、復針伝達レバー６５から突出して形成されている。
【００５８】
この復針伝達レバー規制部７７が作動カム柱５１に当接しており、結果的に復針伝達レバー６５の作動が規制される。復針伝達レバー規制部７７は、秒復針レバー１１５とは係合しない位置にある。
【００５９】
また、このとき、時分復針レバー８０は、復針制御レバー７０によって作動が規制されており、分ハートカム９１及び時ハートカム８６とは解除された状態にある。時分復針レバー８０は、分クロノグラフ車規制部８３と時クロノグラフ車規制部８４と作動規制部８２とが形成され、時分復針レバー軸８１を中心に揺動可能に軸支されている。
【００６０】
復針制御レバー７０は、時分復針レバー規制部７２と作動部７３とが形成され、復針制御レバー軸７１を中心に揺動可能に軸支されている。クロノグラフ計測中には、時分復針レバー規制部７２と時分復針レバー８０に設けられる作動規制部８２とが係合して、復針制御レバー７０と時分復針レバー８０の位置が決められている。なお、時分復針レバー８０は、図示しないばねによって常に時計回りに回転力が付勢されている。
【００６１】
続いて、クロノグラフ計測をストップする操作とクロノグラフ機構の作動について説明する。図２を参照して説明する。図３〜図６も参照する。
まず、クロノグラフ計測中の状態（図２で示す）から、操作ボタン２０を押し操作する。操作ボタン２０に連動して、作動レバー６０が輪列受１４に植立された作動レバー軸６４に沿って作動カム５０を時計回りに作動する。
【００６２】
作動レバー６０には、トラック形状の作動孔６１が開設されており、この作動孔６１が作動レバー軸６４を摺動しながら移動することで、作動カム５０を作動する。作動レバー６０の移動量は、作動カム５０の作動カム歯車５２の１ピッチ分だけ移動させるのに足りるストロークを有し、作動カム５０は、作動カムジャンパー５５によって回転位置が規制されている。なお、作動レバー６０は、図示しないばねによって操作ボタン２０の方向及び移動方向を規制するように付勢されている。
【００６３】
作動カム５０の作動カム柱５１は、作動カム歯車５２の半分の数だけ形成されているため、作動カム歯車５２が１ピッチ分回転するときに、１／２ピッチだけ回転することになる。従って、作動レバー６０を一度操作すると、作動カム柱５１は１／２ピッチ移動するため、復針伝えレバー７５の復針伝達レバー規制部７７と作動カム柱５１との係合が解除された状態となる。
【００６４】
また、この操作によって、図４に示す発停レバーＡ１２５、発停レバーＢ１２６が作動し（図２には図示せず）、秒クロノグラフ車９５のクラッチ１２０を四番歯車１０９から切り離す。このことによって、四番車１０７の回転は秒クロノグラフ車９５には伝達されず、秒クロノグラフ車９５と分クロノグラフ車９０は停止する。
【００６５】
時クロノグラフ車８５は、前述した発停レバーＡ１２５と連動する図示しない規制レバーによって、摩擦ばね固定板８９ａの側面を押し圧して停止される。この際、時クロノグラフ歯車８８は、スリップ可能であるため、香箱１４５の回転が時クロノグラフ歯車８８まで伝達されるが、時クロノグラフ歯車８８が空回転して、通常の時刻表示には影響がない。
【００６６】
また、発停レバーＡ１２５は、その一部が作動カム柱５１に当接するように、やはり図示しないばねによって秒クロノグラフ車９５の方向に付勢されており、クロノグラフ計測中は作動カム柱５１によって、クラッチ１２０とは切り離されている。ストップ操作の際には、作動カム柱５１との係合が解除されてクラッチ１２０と係合し、クラッチ１２０と四番歯車１０９との係合を解除する（図４、参照）。
【００６７】
次に、帰零操作と帰零に係るクロノグラフ機構の作動について説明する。図２を参照して説明する。図３〜図６も参照する。クロノグラフ計測停止（ストップ操作）の状態から操作ボタン３０を押し操作する。操作ボタン３０に連動して、復針伝達レバー６５が復針伝達レバー軸６６を中心に反時計回りに揺動される。
【００６８】
復針伝達レバー６５の揺動と連動して復針伝えレバー７５が揺動する。復針伝えレバー７５の復針伝達レバー規制部７７は、作動カム柱５１との係合が解除されているので、さらに作動カム柱５１の間まで移動する。この際、復針伝えレバー７５が秒復針レバー軸１１６を中心に反時計回りに揺動され、秒復針レバー作動部７６が、秒復針レバー１１５を秒復針レバー軸１１６を中心に反時計回りに揺動する。秒復針レバー規制部１１７は、作動カム柱５１との係合が解除されているので、さらに揺動し、秒クロノグラフ規制部１１８が秒ハートカム９６を押し圧して秒クロノグラフ車９５を帰零（リセット）する。
【００６９】
一方、秒クロノグラフ車９５と同期して分クロノグラフ車９０と時クロノグラフ車８５が帰零される。復針伝達レバー６５の作動に連動する復針伝えレバー７５の秒復針レバー作動部７６が、復針制御レバー７０の作動部７３を押し圧し、復針制御レバー７０を復針制御レバー軸７１を中心に反時計回りに揺動する。
【００７０】
すると、復針制御レバー７０の時分復針レバー規制部７２と、時分復針レバー８０の作動規制部８２との係合が解除される。時分復針レバー８０は、図示しないばねによって時計回りに付勢されているため、時分復針レバー軸８１を回転中心に瞬間的に揺動し、分クロノグラフ車規制部８３が分ハートカム９１を押し圧して分クロノグラフ車９０を帰零する。
【００７１】
また、時クロノグラフ車規制部８４が時ハートカム８６を押し圧して、時クロノグラフ車８５を帰零する。
【００７２】
帰零操作後に、操作ボタン３０を解除すると、前述した、復針伝達レバー６５、時分復針レバー８０、秒復針レバー１１５は、クロノグラフ計測停止状態（ストップ状態）に復帰し、各クロノグラフ針は０を表示している。
【００７３】
次に、帰零の状態から再度クロノグラフ計測を開始（スタート操作）する操作とクロノグラフ機構の作動について、図２を参照して説明する。スタート操作は、操作ボタン２０を押し操作することで行われる。操作ボタン２０に連動して作動レバー６０が、作動カム５０を作動カム歯車５２の１ピッチ分だけ回転する。
【００７４】
この際、作動カム柱５１は１／２ピッチだけ回転し、復針伝えレバー７５の復針伝達レバー規制部７７が作動カム柱５１に係合し、復針伝達レバー６５は作動することができない状態となる。従って、時分復針レバー８０、秒復針レバー１１５もクロノグラフ計測停止状態（ストップ状態）で安定する。
【００７５】
また、発停レバーＡ１２５、発停レバーＢ１２６は、作動カム柱５１に係合した状態となるため、クラッチ１２０との係合が外れた状態であり、クラッチ１２０と四番歯車１０９とが接続されるため、四番車１０７からの回転力が秒クロノグラフ車９５、分クロノグラフ車９０に伝達され、秒クロノグラフ針４２、分クロノグラフ針４１が運針を開始する（図４、参照）。
【００７６】
また、時クロノグラフ車８５は、発停レバーＡ１２５が作動することにより規制レバーが摩擦ばね固定板８９ａから解除されるために、香箱１４５からの回転が時クロノグラフ車８５に伝達され、時クロノグラフ針４０が開始する（図５、参照）。
【００７７】
操作ボタン２０，３０の操作によって、クロノグラフ機構は一斉に、且つ瞬時に作動されるため、時クロノグラフ車８５、分クロノグラフ車９０、秒クロノグラフ車９５は、ほぼ同時に停止、帰零、スタートを行うことができ、相互の指示誤差が発生しないように設計されている。
【００７８】
従って、前述した実施形態１によれば、操作ボタン２０，３０それぞれの近傍に分クロノグラフ車９０、時クロノグラフ車８５が配置されているために、クロノグラフ作動機構がコンパクトに構成することができ、時計１０の小型化と構造の簡素化を実現できる。
【００７９】
また、操作ボタン２０，３０それぞれの近傍にクロノグラフ操作としての対象物としての分クロノグラフ針４１、時クロノグラフ針４０が配置されているので、操作の際に、前述したクロノグラフ針と操作ボタンとの対比がしやすく視認しやすいという効果がある。
【００８０】
さらに、分クロノグラフ針４１と時クロノグラフ針４０が、２時方向または４時方向に配置されているので、従来のクロノグラフ付きの時計とは異なる斬新なデザインの時計を提供することができる。
【００８１】
また、実施形態１の構造では、クロノグラフ機構と自動巻輪列とが、それぞれ平面的に重ならない分割位置に配置されているために、クロノグラフ付きの時計であっても、薄型のすっきりしたデザインの時計を提供することができる。
【００８２】
また、実施形態１による時計１０が、駆動源としてぜんまいを備える時計であっても、前述したクロノグラフ機構と自動巻輪列とが、それぞれ平面的に重ならない分割位置に配置されていることにより、ぜんまいを有する時計であっても、小型化、薄型化を実現できる。
（実施形態２）
【００８３】
続いて、本発明に係る実施形態２について図面を参照して説明する。実施形態２は、前述した実施形態１のクロノグラフ機構と、自動巻発電機構と、を搭載していることに特徴を有している。従って、クロノグラフ機構の図面と説明を省略し、自動巻発電機構（以降、単に発電機構と表す）及び、クロノグラフ機構との配置関係について説明する。実施形態１と共通部分には、同じ符号を附している。
【００８４】
図７は、実施形態２に係るクロノグラフ付きの自動巻発電式時計の構成を示す平面図である。図７において、自動巻発電式時計２００は、第１象限及び第２象限にクロノグラフ機構が配置され、第３象限及び第４象限に自動巻機構としての発電用輪列と発電機構が配置されている。
【００８５】
実施形態１でも説明したように、秒クロノグラフ車９５は時計の中心、分クロノグラフ車９０は２時方向、時クロノグラフ車８５は４時方向に配置されている。秒クロノグラフ車９５には秒ハートカム９６、分クロノグラフ車９０には分ハートカム９１、時クロノグラフ車８５には時ハートカム８６が軸止されている。
【００８６】
発電機構１６０の大部分は第４象限に配置され、発電機構１６０は、発電用コイルブロック１６５と、発電用ステーター１６４、発電用ローター１６３と、回転錘１３０の回転を発電用ローター１６３に伝達する発電用輪列として、発電用伝え車１６２と回転錘車１６１と、が備えられている。
【００８７】
自動巻発電の構造に関しては周知であるので、詳しい説明を省略するが、回転錘１３０が回転することにより、回転錘１３０と同軸に取り付けられている回転錘車１６１、回転錘車１６１と噛合する発電用伝え車１６２を介して、発電用ローター１６３が高速で回転される。そして、発電用ローター１６３と発電用コイルブロック１６５との間の電磁誘導作用によって発電される。
【００８８】
発電された電力は、図示しない発電制御回路で整流され、二次電池１７０に充電される。この二次電池１７０を駆動源として、図示しないが、一般のアナログクオーツのモーターが駆動され、時刻輪列を介して時、分、秒が表示される。
【００８９】
次に、クロノグラフ輪列について説明する。時計中心部には、秒クロノグラフ車９５が配置され、秒クロノグラフ車９５には、四番車１０７、クラッチ１２０、秒クロノグラフ歯車９８が装着されているが、この構造は、図４で示す構造と同じであるため説明を省略する。
【００９０】
四番車１０７には、モーターから図示しない輪列を経て回転が伝達され、分クロノグラフ中間車１０１を経て分クロノグラフ車９０を回転する。また、分クロノグラフ車９０から時クロノグラフ中間車１１１を経て時クロノグラフ車８５に回転が伝達される。
【００９１】
分クロノグラフ車９０及び時クロノグラフ車８５の構造も、前述した実施形態１（図４，５、参照）と同じであり、時クロノグラフ車８５には、摩擦ばね８９と摩擦ばね固定板８９ａが備えられ、時クロノグラフ歯車８８に所定のトルクが付加された際に、時クロノグラフ真８７とスリップするように構成されている。
【００９２】
操作ボタン２０，３０を押し操作することによるクロノグラフ作動機構の作用は、前述の実施形態１と同じであるため説明を省略する。
【００９３】
このような構成では、秒クロノグラフ車９５、分クロノグラフ車９０、時クロノグラフ車８５を含むクロノグラフ機構が第１象限及び第２象限に、二次電池１７０を含んで発電機構１６０が第３象限及び第４象限に配置され、実施形態１によるクロノグラフ機構と巻き上げ機構との配置関係と同様な配置構造が実現できる。
【００９４】
従って、前述した実施形態２によれば、クロノグラフ機構と、発電用輪列と発電機構と、が、平面的に重ならないようにしているために、発電電力を得るために容積が大きくなりがちな発電機構を備えても、スペースの制約が少なく、小型で薄型の時計を提供することができる。
【００９５】
なお、本発明は前述の実施形態に限定されるものではなく、本発明の目的を達成できる範囲での変形、改良等は本発明に含まれるものである。
前述の実施形態１、実施形態２では、りゅうず１１を３時位置に、操作ボタン２０，３０をりゅうず１１の両側（２時、４時位置）に配置し、それらに対応してクロノグラフ機構、自動巻機構を配置しているが、例えば、操作ボタン２０，３０を１０時または８時位置に配置し、操作ボタン２０，３０の近傍（第２象限及び第３象限）にクロノグラフ機構を配置し（つまり、分クロノグラフ針４１を１０時位置、時クロノグラフ針４０を８時位置に配置）、クロノグラフ機構に対応して第１象限、第４象限に自動巻機構を配置してもよい。
【００９６】
このような配置構造を採用しても、前述した実施形態１、実施形態２と同様な効果を有する時計を提供することができる。
【００９７】
また、りゅうず１１と操作ボタン２０，３０の配置を同じ領域に配置せず、例えば、りゅうず１１は３時位置に、操作ボタン２０，３０をそれぞれ１０時位置、８時位置に配置することもできる。
【００９８】
従って、前述の実施形態１、実施形態２によれば、簡単な構造で、小型化、薄型化を可能にし、斬新なデザインのクロノグラフ付きの時計を提供することができる。
【図面の簡単な説明】
【００９９】
【図１】本発明の実施形態１に係る時計の外観を示す正面図。
【図２】本発明の実施形態１に係る時計の平面図。
【図３】本発明の実施形態１に係る自動巻機構を示す断面図。
【図４】本発明の実施形態１に係る秒クロノグラフ車と分クロノグラフ車と周辺の機構を示す断面図。
【図５】本発明の実施形態１に係る時クロノグラフ車と周辺の構造を示す断面図。
【図６】本発明の実施形態１に係るクロノグラフ作動機構（作動カムと周辺）の構造を示す断面図。
【図７】本発明の実施形態２に係る自動巻発電式時計の構成を示す平面図。
【符号の説明】
【０１００】
１０…時計、１１…りゅうず、２０，３０…操作ボタン、８５…時クロノグラフ車、９０…分クロノグラフ車、９５…秒クロノグラフ車、１３０…回転錘、１４５…香箱。
【図２】
2006275550.tif 000003
【図３】
2006275550.tif 000004
【図４】
2006275550.tif 000005
【図５】
2006275550.tif 000006
【図６】
2006275550.tif 000007
【図７】
2006275550.tif 000008
【図１】
2006275550.tif 000009